(57)【要約】    【課題】  レンズシャッターカメラ等に最適な簡易な構成で、高変倍でありながらコンパクトなズームレンズを得ること。    【解決手段】  物体側より像側へ順に、正の屈折力の第１レンズ群、負の屈折力の第２レンズ群、正の屈折力の第３レンズ群、正の屈折力の第４レンズ群を有し、広角端に比べ望遠端での、該第１レンズ群と第２レンズ群の間隔が大きく、該第２レンズ群と第３レンズ群の間隔が小さくなるように、各レンズ群のうち少なくとも該第１、第３、第４レンズ群が光軸上を物体側へ単調に移動するズームレンズにおいて、  ｉを物体側から像側への順番とするとき、該第ｉレンズ群の焦点距離をｆｉ、広角端における全系の焦点距離をｆｗとするとき、      ４．０  ＜  ｆ１／ｆｗ  ＜  ７．０      ２．０  ＜  ｆ３／ｆｗ  ＜  ５．０なる条件を満足すること。【選択図】  図１
2007093773.tif 000002
【特許請求の範囲】
【請求項１】
物体側より像側へ順に、正の屈折力の第１レンズ群、負の屈折力の第２レンズ群、正の屈折力の第３レンズ群、正の屈折力の第４レンズ群を有し、広角端に比べ望遠端での、該第１レンズ群と第２レンズ群の間隔が大きく、該第２レンズ群と第３レンズ群の間隔が小さくなるように、各レンズ群のうち少なくとも該第１、第３、第４レンズ群が光軸上を物体側へ単調に移動するズームレンズにおいて、
ｉを物体側から像側への順番とするとき、該第ｉレンズ群の焦点距離をｆｉ、広角端における全系の焦点距離をｆｗとするとき、
４．０  ＜  ｆ１／ｆｗ  ＜  ７．０
２．０  ＜  ｆ３／ｆｗ  ＜  ５．０
なる条件を満足することを特徴とするズームレンズ。
【請求項２】
広角端でのバックフォーカスをｂｆｗとするとき、
１．４  ＜  ｂｆｗ／ｆｗ  ＜  ３．５
なる条件を満足することを特徴とする請求項１に記載のズームレンズ。
【請求項３】
前記各レンズ群はそれぞれ３枚以下のレンズで構成されることを特徴とする請求項１又は２に記載のズームレンズ。
【請求項４】
前記第１レンズ群は正レンズと負レンズより成ることを特徴とする請求項１、２又は３に記載のズームレンズ。
【請求項５】
前記第３レンズ群は正レンズと負レンズより成ることを特徴とする請求項１から４のいずれか１項に記載のズームレンズ。
【請求項６】
前記第２、第４レンズ群の焦点距離ｆ２、ｆ４は、
０．６  ＜  ｜ｆ２｜／ｆｗ  ＜  ２．５
１．０  ＜  ｆ４／ｆｗ  ＜  ３．０
なる条件を満足することを特徴とする請求項１から５のいずれか１項に記載のズームレンズ。
【請求項７】
前記第４レンズ群は、少なくとも１つの非球面形状の面を含むことを特徴とする請求項１から６のいずれか１項に記載のズームレンズ。
【請求項８】
前記第４レンズ群は、非球面形状の面を含むレンズと球面のみから成るレンズを有し、該非球面形状の面を含むレンズの焦点距離をｆ４ａとするとき、
０．８  ＜  ｜ｆ４ａ｜／ｆ４  
なる条件を満足することを特徴とする請求項１から７のいずれか１項に記載のズームレンズ。
【請求項９】
広角端に比べ望遠端での、前記第３レンズ群と第４レンズ群の間隔が小さいことを特徴とする請求項１から８のいずれか１項に記載のズームレンズ。
【請求項１０】
前記第１レンズ群及び第２レンズ群は、球面のみから成るレンズより構成されることを特徴とする請求項１から９のいずれか１項に記載のズームレンズ。
【請求項１１】
固体撮像素子上に像を形成することを特徴とする請求項１から１０のいずれか１項に記載のズームレンズ。
【請求項１２】
請求項１から１１のいずれか１項に記載のズームレンズと、該ズームレンズによって形成された像を受光する固体撮像素子を有することを特徴とする撮像装置。
【発明の詳細な説明】
【技術分野】
【０００１】
本発明はビデオカメラ、銀塩写真用カメラ、放送用カメラ、そしてデジタルスチルカメラ等に好適なズームレンズ及びそれを有する撮像装置に関する。
【背景技術】
【０００２】
近年、固体撮像素子を用いたビデオカメラ、デジタルスチルカメラ、放送用カメラ、そして銀塩フィルムを用いたスチルカメラ等の撮像装置においては、高機能化とともに装置全体の小型化がなされている。
【０００３】
そしてそれに伴って、これらに用いる撮影光学系としては、レンズ全長が短くコンパクトでしかも高解像力のズームレンズが要求されている。
【０００４】
一眼レフカメラ等の撮像装置に用いられるバックフォーカスの長いズームレンズとして物体側より像側へ順に、正、負、正、正の屈折力のレンズ群より成る４群ズームレンズが知られている。
【０００５】
このタイプの４群ズームレンズにおいて、広角端から望遠端へのズーミングに際し各レンズ群を物体側へ移動させ、高ズーム比でありながらコンパクト化を図った４群ズームレンズが知られている。（例えば、特許文献１）。
【０００６】
また、物体側より順に正、負、正、そして正の屈折力のレンズ群を持つ４つのレンズ群より成り、非球面レンズを使用して構成レンズ枚数を少なくした、コンパクトで広画角のズーム変倍比３〜３．５倍程度の４群ズームレンズが知られている（例えば特許文献２）。
【特許文献１】特開平６−１３０２９９号公報
【特許文献２】特開平９−１０１４５９号公報
【発明の開示】
【発明が解決しようとする課題】
【０００７】
前述した撮像装置に用いるズームレンズでは、レンズ系全体の小型化を図って且つ所定のズーム比を有しつつ、全ズーム範囲にわたり良好なる光学性能を有していることが重要である。このためには、ズーミングに伴う各レンズ群の移動条件や各レンズ群の屈折力、各レンズ群のレンズ構成等を適切に設定する必要がある。例えばズームレンズの小型化に関しては、各レンズ群の屈折力を強めればズーミングにおける各レンズ群の移動量が少なくなり、レンズ全長の短縮化が可能となる。
【０００８】
しかしながら、各レンズ群の屈折力を単に強めるとズーミングに伴う収差変動が大きくなり、これを良好に補正するのが難しくなってくる。
【０００９】
また、近年デジタル一眼レフカメラにおいては、被写体像を記録する撮像素子に様々なフォーマット（サイズ）のものが用いられている。
【００１０】
特にコンパクトを狙った一眼レフカメラでは、撮像素子に小型のものが使用されている。
【００１１】
３５ｍｍフィルムフォーマットより小さい画面サイズの撮像素子を使用したカメラでは、同じ焦点距離の撮影レンズを使用しても撮影画界が狭くなる。このため３５ｍｍフィルムフォーマットと同じ画界を得るためにはより焦点距離の短い撮影レンズを必要とする。
【００１２】
又、一眼レフカメラでは、被写体からの撮影光をクイックリターンミラーで折り曲げファインダー光学系に導いている。このため撮影レンズの最終面から撮像面までの間（バックフォーカス）に十分な空間を必要とする。
【００１３】
そのため一眼レフカメラ用の撮影レンズのうち焦点距離の短い撮影レンズでは、物体側から順に負、正の屈折力のレンズ群配置、所謂レトロフォーカスタイプの光学配置としている。これによって光学系の主点位置が撮影レンズの最終面よりも像面側に存在するようにしている。
前述の特許文献１、２のズームレンズでも、広角端では第１、第２レンズ群が合成で負の屈折力となり、第３、第４レンズ群が合成で正の屈折力配置となって全体として略レトロフォーカスタイプの光学系としている。
【００１４】
これらの光学系を記録画面サイズが３５ｍｍフィルムフォーマットの０．６〜０．７倍程度の大きさになる撮像素子（所謂ＡＰＳサイズ）に適用するには、引用文献１〜２の光学系をそのまま比例縮小することが考えられる。しかしながら単純に縮小しただけでは、撮影画角は同等になるが、前述のクイックリターンミラー機構を入れるにはバックフォーカスが足りなくなってくる。
【００１５】
本発明は、レンズ構成が簡易でコンパクトでありながら十分なバックフォーカスを有し、同時に全ズーム領域にわたり高い光学性能を達成したズームレンズの提供を目的とする。
【課題を解決するための手段】
【００１６】
本発明のズームレンズは、物体側より像側へ順に、正の屈折力の第１レンズ群、負の屈折力の第２レンズ群、正の屈折力の第３レンズ群、正の屈折力の第４レンズ群を有し、広角端に比べ望遠端での、該第１レンズ群と第２レンズ群の間隔が大きく、該第２レンズ群と第３レンズ群の間隔が小さくなるように、各レンズ群のうち少なくとも該第１、第３、第４レンズ群が光軸上を物体側へ単調に移動するズームレンズにおいて、
ｉを物体側から像側への順番とするとき、該第ｉレンズ群の焦点距離をｆｉ、広角端における全系の焦点距離をｆｗとするとき、
４．０  ＜  ｆ１／ｆｗ  ＜  ７．０
２．０  ＜  ｆ３／ｆｗ  ＜  ５．０
なる条件を満足することを特徴ととしている。
【発明の効果】
【００１７】
本発明によれば、レンズ構成が簡易でコンパクトでありながら十分なバックフォーカスを有し、同時に全ズーム領域にわたり高い光学性能を達成したズームレンズが得られる。
【発明を実施するための最良の形態】
【００１８】
【実施例１】
【００１９】
以下、本発明のズームレンズ及びそれを有する撮像装置の実施例について説明する。
【００２０】
図１は本発明の実施例１のズームレンズの広角端（短焦点距離端）におけるレンズ断面図、図２、図３はそれぞれ実施例１のズームレンズの広角端、望遠端（長焦点距離端）における収差図である。
【００２１】
実施例１はズーム比３．４２、開口比４．１〜５．９程度のズームレンズである。
【００２２】
図４は本発明の実施例２のズームレンズの広角端におけるレンズ断面図、図５、図６はそれぞれ実施例２のズームレンズの広角端、望遠端における収差図である。実施例２はズーム比３．４、開口比４．１〜５．６程度のズームレンズである。
【００２３】
図７は本発明の実施例３のズームレンズの広角端におけるレンズ断面図、図８、図９はそれぞれ実施例３のズームレンズの広角端、望遠端における収差図である。実施例３はズーム比３．５９、開口比４．１〜５．９程度のズームレンズである。
【００２４】
図１０は本発明の実施例４のズームレンズの広角端におけるレンズ断面図、図１１、図１２はそれぞれ実施例４のズームレンズの広角端、望遠端における収差図である。
【００２５】
実施例４はズーム比３．８０、開口比４．１〜５．９程度のズームレンズである。
【００２６】
図１３は本発明のズームレンズを備える撮像装置の要部概略図である。
【００２７】
各実施例のズームレンズはデジタルスチルカメラや銀塩フィルムカメラ等の撮像装置に用いられる撮影レンズ系である。レンズ断面図において、左方が被写体側（前方）で、右方が像側（後方）である。
【００２８】
レンズ断面図において、Ｌ１は正の屈折力（光学的パワー＝焦点距離の逆数）の第１レンズ群、Ｌ２は負の屈折力の第２レンズ群、Ｌ３は正の屈折力の第３レンズ群、Ｌ４は正の屈折力の第４レンズ群である。
【００２９】
ＳＰは開口絞りであり、第３レンズ群Ｌ３の物体側に位置しており、ズーミングに際して第３レンズ群Ｌ３と共に移動する。
【００３０】
ＩＰは像面であり、ビデオカメラやデジタルスチルカメラの撮影光学系として使用する際にはＣＣＤセンサやＣＭＯＳセンサ等の固体撮像素子（光電変換素子）の撮像面、銀塩フィルム用カメラのときはフィルム面等の感光面に相当する。
【００３１】
収差図において、ＦｎｏはＦナンバー、ｄ、ｇは各々ｄ線及びｇ線、Ｓ・Ｃは正弦条件である。ｄＭ、ｄＳはｄ線のメリディオナル像面、サジタル像面、ｇＭ、ｇＳはｇ線のメリディオナル像面、サジタル像面である。倍率色収差はｇ線によって表している。Ｙは像高である。
【００３２】
尚、以下の各実施例において広角端と望遠端のズーム位置は、変倍用レンズ群（第１、第３、第４レンズ群Ｌ１、Ｌ３，Ｌ４）が機構上、光軸上を移動可能な範囲の両端に位置したときのズーム位置をいう。
【００３３】
各実施例では、広角端から望遠端へのズーミングに際して矢印のように、各レンズ群Ｌ１〜Ｌ４が移動している。
【００３４】
具体的には、第１、第３、第４レンズ群Ｌ１、Ｌ３、Ｌ４が物体側へ単調移動している。
【００３５】
又、第２レンズ群Ｌ２は像側へ凸状の軌跡を描くように移動している。
【００３６】
このとき、広角端に比べて望遠端で第１レンズ群Ｌ１と第２レンズ群Ｌ２の間隔が大きく、第２レンズ群Ｌ２と第３レンズ群Ｌ３の間隔が小さく、第３レンズ群Ｌ３と第４レンズ群Ｌ４の間隔が小さくなるように各レンズ群が移動している。
【００３７】
各実施例では、広角端において全体として略レトロフォーカスタイプの屈折力配置としている。
【００３８】
又、望遠端では全体として略テレフォトタイプの屈折力配置としている。これにより高いズーム比を実現したズームレンズを得ている。
【００３９】
また、全てのレンズ群を移動させてズーミング及び変倍に伴う像面変動の補正を行うことにより屈折力の効率的な分配を容易にしている。
【００４０】
更に、広角端にて光学全長が短くすることができ、例えば一眼レフ用の交換レンズとして最適な高ズーム比で小型なズームレンズを構成している。
【００４１】
尚、各実施例において、フォーカスは第２レンズ群Ｌ２を光軸に沿って移動させ行っている。
【００４２】
各実施例において、各レンズ群は３枚（要素）以下のレンズより成っている。具体的には第１レンズ群Ｌ１は１枚の正レンズと１枚の負レンズより成っている。第２レンズ群Ｌ２は物体側から像側へ順に、像面側の面が凹形状の負レンズ、負レンズ、物体側の面が凸形状の正レンズより成っている。第３レンズ群Ｌ３は１枚の正レンズと１枚の負レンズより成っている。第４レンズ群Ｌ４は正レンズを１以上含む２枚又は３枚のレンズより成っている。
【００４３】
以上のように各実施例では、全体として非常に少ないレンズ枚数で構成して光学系の小型化を図りつつ高い光学性能を得ている。
【００４４】
各実施例において、正の屈折力の第１レンズ群Ｌ１は、最も有効径大きくなるレンズ群である。その第１レンズ群Ｌ１を２枚のレンズ構成とすることで、構成レンズ枚数を減らしてコンパクトな光学系を実現している。
【００４５】
またその２枚のレンズを正レンズと負レンズとすることで、色消しを良好に行っている。特に広角端から望遠端までの倍率色収差、望遠端での軸上色収差を良好に補正している。
【００４６】
負の屈折力の第２レンズ群Ｌ２は、大きな変倍分担を担っており、負の屈折力も強く第２レンズ群Ｌ２内部での収差発生も大きくなる。
【００４７】
第２レンズ群Ｌ２を前記のようなレンズ構成とすることで、強い負の屈折力を維持しながらも良好な収差補正を可能としている。特に簡素なレンズ構成でありながら高ズーム比でかつ高い光学性能を有したズームレンズを達成している。
【００４８】
正の屈折力の第３レンズ群Ｌ３は、軸上光線が全ズーム領域において比較的高い位置を通るレンズ群である。そのため、正レンズで発生する軸上収差を負レンズで補正する構成とし、少ないレンズ枚数で良好な光学性能を得ている。
【００４９】
正の屈折力の第４レンズ群Ｌ４には、比較的屈折力の弱いレンズを配置して１以上の面を非球面形状としている。これにより、第３レンズ群Ｌ３では補正しきれなかった軸上収差や、軸外の諸収差を効率的に補正している。
【００５０】
非球面レンズの材料は特に限定するものではないが、比較的容易に製造できることから、樹脂成形のものを採用することが望ましい。
【００５１】
もちろん、該材料はガラスでも構わず、ガラス基盤上に非球面形状の樹脂層を配置した所謂複合非球面レンズでも良い。
【００５２】
また各実施例のズームレンズを一眼レフカメラの交換レンズに適用する場合は、使用者の取扱いで傷が付かないように、比較的強度の弱い樹脂材料による非球面レンズは最も像側の面には配置しない方が望ましい。各実施例ではその点を考慮して樹脂製の非球面レンズを配置している。
【００５３】
また、第４レンズ群Ｌ４は比較的に有効径の小さいレンズ群である。
【００５４】
従ってそこに配置する非球面レンズも比較的小さい有効径のもので良く、非球面レンズの製造上の難易度も軽減される。そのような観点からも、レンズ有効径が大きくなる第１レンズ群Ｌ１、第２レンズ群Ｌ２には非球面レンズは配置せず、全て球面レンズより構成している。
【００５５】
以上のような構成とすることで各実施例のズームレンズは、高ズーム比でありながらコンパクトな光学系を達成している。さらに以下の条件式の１以上を満足するようにして各条件式に対応した効果を得ている。
【００５６】
ｉを物体側から像側への順番とするとき、該第ｉレンズ群の焦点距離をｆｉ、広角端における全系の焦点距離をｆｗ、広角端でのバックフォーカスをｂｆｗ（ここでバックフォーカスは、パワーのある最終レンズ面から像面までの距離である）、第４レンズ群Ｌ４の非球面形状の面を含むレンズの焦点距離をｆ４ａとするとき、
４．０  ＜  ｆ１／ｆｗ  ＜  ７．０      ・・・（１）
２．０  ＜  ｆ３／ｆｗ  ＜  ５．０      ・・・（２）
１．４  ＜  ｂｆｗ／ｆｗ  ＜  ３．５      ・・・（３）
０．６  ＜  ｜ｆ２｜／ｆｗ  ＜  ２．５      ・・・（４）
１．０  ＜  ｆ４／ｆｗ  ＜  ３．０            ・・・（５）
０．８  ＜  ｜ｆ４ａ｜／ｆ４        ・・・（６）
なる条件を満足している。
【００５７】
条件式（１）は光学系全体の小型化と光学性能のバランスを取る為の条件である。条件式（１）の上限を超えて第１レンズ群Ｌ１の屈折力が弱くなると、所望の変倍をする為の第１レンズ群の移動量が大きくなる。又それと同時に望遠端で軸外光線を十分確保する為に有効径が大きくなり、光学系が大型化してくる。
また下限を超えて第１レンズ群Ｌ１の屈折力が強くなると、第１レンズ群Ｌ１内で発生する諸収差を少ないレンズ枚数で補正することが困難となる。
【００５８】
また同じく下限を超えて第１レンズ群Ｌ１の屈折力が強くなると、広角端で第１、２レンズ群の合成で負の屈折力となっているレトロフォーカスタイプの屈折力配置の傾向が弱くなる。この結果十分な長さのバックフォーカスを確保することが難しくなる。
【００５９】
各実施例のズームレンズは簡易で小型であることを目的としている。このため可能な限り少ないレンズ枚数で構成する必要があり、この為第１レンズ群Ｌ１が条件式（１）を満足することは重要となっている。
【００６０】
特に、記録画面サイズが３５ｍｍフィルムより小さいフォーマット（例えば所謂ＡＰＳサイズ等）の一眼レフカメラの撮影レンズに適用した場合、クイックリターンミラー機構を入れる一定以上のバックフォーカスが必要となる。条件式（１）は一定以上のバックフォーカスを確保しつつも光学系の小型化を達成するために適した構成とする為の１つの条件である。
【００６１】
条件式（２）は、条件式（１）と同様に光学系全体の小型化と光学性能のバランスを取る為の条件である。条件式（２）の上限を超えて第３レンズ群Ｌ３の屈折力が弱くなると、所望の変倍をする為の第３レンズ群Ｌ３の移動量が大きくなり、光学系が大型化してくる。また下限を超えて第３レンズ群Ｌ３の屈折力が強くなると、第３レンズ群Ｌ３内で発生する諸収差を少ないレンズ枚数で補正することが困難となる。
【００６２】
条件式（３）は、コンパクトで高性能なズームレンズを実現しつつ広角端でのバックフォーカスｂｆｗを適切に設定する為のものである。
【００６３】
条件式（３）の上限を超えて広角端でのバックフォーカスが長くなりすぎると、レンズ群が最も沈胴した状態の広角端でのレンズ全長が長くなり全系のコンパクトさが損なわれてくる。
【００６４】
また下限を超えてバックフォーカスが短くなりすぎると、クイックリターンミラー機構やオートフォーカス光学系などを配置するスペースが不十分となる。この結果、例えば一眼レフカメラに使用する光学系としては適さなくなる。
【００６５】
条件式（４）の上限を超えて第２レンズ群Ｌ２の負の屈折力が弱くなると、所望の変倍をする為の第１レンズ群及び第３レンズ群との間の空気間隔変化量を大きくとる必要が生じる。この結果光学系が大型化するため良くない。逆に下限を超えて第２レンズ群Ｌ２の負の屈折力が強くなりすぎると、第３レンズ群Ｌ３に入射する軸上光線、軸外光線の高さが高くなり絞り径や第３レンズ群Ｌ３の有効径が大きくなって光学系が大型化するため良くない。
【００６６】
また同時に、第２レンズ群Ｌ２内で発生する諸収差を少ないレンズ枚数で補正することが困難となる。
【００６７】
条件式（５）の上限を超えて第４レンズ群Ｌ４の屈折力が弱くなると、所望の変倍をする為の第３レンズ群Ｌ３の移動量が大きくなり、光学系が大型化してくる。
【００６８】
また下限を超えて第４レンズ群Ｌ４の屈折力が強くなると、第４レンズ群Ｌ４から像面までの間に十分なバックフォーカスを確保するのが難しくなる。
【００６９】
条件式（６）の範囲を外れて非球面レンズの屈折力が強くなりすぎると、ベース曲率の強いレンズ面に非球面形状を加工することになり、高い精度で非球面レンズを製造することが難しくなる。
【００７０】
また、非球面レンズを樹脂材料で製造した場合、温度や湿度の環境変化による性能変化がより顕著に現れることになって望ましくない。
尚、更に好ましくは、前述の条件式（１）から（５）の数値範囲を以下の如く設定するのが良い。
【００７１】
４．２  ＜  ｆ１／ｆｗ  ＜  ６．５      ・・・（１ａ）
２．２  ＜  ｆ３／ｆｗ  ＜  ４．５      ・・・（２ａ）
１．６  ＜  ｂｆｗ／ｆｗ  ＜  ３．０      ・・・（３ａ）
０．７  ＜  ｜ｆ２｜／ｆｗ  ＜  ２．０      ・・・（４ａ）
１．２  ＜  ｆ４／ｆｗ  ＜  ２．５            ・・・（５ａ）
１．０  ＜  ｜ｆ４ａ｜／ｆ４        ・・・（６ａ）
尚、条件式（６）の上限値は、２０とするのが良い。更に好ましくは１５とするのが良い。
【００７２】
次に、本発明の数値実施例を示す。各数値実施例において、ｉは物体側から面の順序を示し、ｒｉはｉ番目のレンズ面（第ｉ面）の曲率半径、ｄｉは第ｉ面と第（ｉ＋１）面との間のレンズ肉厚および空気間隔、ｎｉ、νｉはそれぞれｄ線を基準とした屈折率、アッベ数を示す。
【００７３】
非球面形状は光軸からの高さｈの位置での光軸方向の変位を面頂点を基準にしてｘとするとき、
Ｘ＝（ｈ2 ／Ｒ）／［１＋｛１−(１＋ｋ)（ｈ／Ｒ）2｝１／２］
＋Ｂｈ4 ＋Ｃｈ6＋Ｄｈ8 ＋Ｅｈ10
で表される。
【００７４】
但し、ｋは円錐定数、Ｂ、Ｃ、Ｄ，Ｅは４次、６次、８次、１０次の非球面係数、Ｒは近軸曲率半径である。
【００７５】
又、「ｅ−０Ｘ」は「×１０−ｘ」を意味している。ｆは焦点距離、ＦｎｏはＦナンバー、ωは半画角を示す。
【００７６】
又、前述の各条件式と各数値実施例との関係を表１に示す。
数値実施例１
f=  18.6〜63.7   Fno= 4.1〜 5.9   2ω=72.4°〜24.2°
r 1=    65.351        d 1=   6.45    n 1=1.71300  v 1=53.9
r 2=  -143.801        d 2=   1.80    n 2=1.84666  v 2=23.9
r 3=  1558.603        d 3= 可変                            
r 4=   104.107        d 4=   1.40    n 3=1.71300  v 3=53.9
r 5=    12.263        d 5=   6.01                          
r 6=   -85.209        d 6=   1.20    n 4=1.71300  v 4=53.9
r 7=    25.821        d 7=   0.12                          
r 8=    19.088        d 8=   3.37    n 5=1.78472  v 5=25.7
r 9=   111.189        d 9= 可変                            
r10=     0.000(絞り)  d10=   0.50                          
r11=    16.999        d11=   3.68    n 6=1.56384  v 6=60.7
r12=   -31.931        d12=   4.43                          
r13=   -14.390        d13=   1.91    n 7=1.75520  v 7=27.5
r14= -5243.554        d14= 可変                            
r15=   -57.232        d15=   1.70    n 8=1.49171  v 8=57.4
r16=   -34.466(非球面)d16=   0.15                          
r17=  -137.704        d17=   5.47    n 9=1.48749  v 9=70.2
r18=   -13.563        d18= 可変                            
焦点距離 18.61  34.34  63.67  
可変間隔                             
d  3      3.27  15.66  31.96  
d  9     24.46  10.76   2.55   
d 14      2.92   1.61   0.97   
非球面係数
（第16面）
K= 0.00   B= 8.369688e-05   C= 4.697525e-07   D=-4.006865e-09   E= 1.071226e-11 
数値実施例２
f=  18.5〜  63.1     Fno= 1: 4.1〜 5.6     2ω=72.6°〜24.4°
r 1=    46.438        d 1=   2.00    n 1=1.84666  v 1=23.9
r 2=    32.642        d 2=   0.47                          
r 3=    34.288        d 3=   7.10    n 2=1.72916  v 2=54.7
r 4=   355.917        d 4= 可変                            
r 5=   129.932        d 5=   1.30    n 3=1.71300  v 3=53.9
r 6=    10.934        d 6=   5.22                          
r 7=  -199.231        d 7=   1.10    n 4=1.71300  v 4=53.9
r 8=    21.077        d 8=   0.07                          
r 9=    15.611        d 9=   3.03    n 5=1.80518  v 5=25.4
r10=    48.600        d10= 可変                            
r11=     0.000(絞り)  d11=   0.63                          
r12=    20.640        d12=   6.10    n 6=1.61405  v 6=55.0
r13=   -14.914        d13=   0.65                          
r14=   -12.909        d14=   1.46    n 7=1.66680  v 7=33.0
r15= -5636.339        d15= 可変                            
r16=    45.096        d16=   2.47    n 8=1.48749  v 8=70.2
r17=  1090.782        d17=   1.10                          
r18=   -83.866(非球面)d18=   1.20    n 9=1.58306  v 9=30.2
r19=   130.625(非球面)d19=   0.85                          
r20=   -74.594        d20=   3.96    n10=1.48749  v10=70.2
r21=   -13.985        d21= 可変                            
r22=     0.000        d22= 可変                            
焦点距離 18.55  35.88  63.07  
可変間隔                             
d  4      3.22  15.52  27.13  
d 10     20.47   8.54   2.15  
d 15      4.66   2.24   0.76   
d 21      0.05  10.75  19.96   
非球面係数
（第18面）   
K= 0.00   B=-5.736678e-05   C=-1.820188e-07   D= 5.808664e-10   E= 4.254278e-13  
（第19面）   
K= 0.00   B= 1.118583e-05   C=-4.924430e-08   D= 6.670875e-12   E= 0.00 
数値実施例３
f=  17.6〜  63.1   Fno= 1: 4.1〜 5.9   2ω=75.5°〜24.4°
r 1=    42.421        d 1=   2.00    n 1=1.84666  v 1=23.9
r 2=    29.070        d 2=   0.77                          
r 3=    30.114        d 3=   7.51    n 2=1.72916  v 2=54.7
r 4=   291.141        d 4= 可変                            
r 5=   105.618        d 5=   0.90    n 3=1.72916  v 3=54.7
r 6=    10.373        d 6=   5.21                          
r 7=  -715.343        d 7=   0.90    n 4=1.71300  v 4=53.9
r 8=    20.142        d 8=   0.15                          
r 9=    14.419        d 9=   2.58    n 5=1.84666  v 5=23.9
r10=    30.284        d10= 可変                            
r11=     0.000(絞り)  d11=   0.50                          
r12=    21.943        d12=   6.63    n 6=1.54814  v 6=45.8
r13=   -12.586        d13=   0.59                          
r14=   -11.486        d14=   1.00    n 7=1.64769  v 7=33.8
r15= -1095.172        d15= 可変                            
r16=    26.601        d16=   3.30    n 8=1.48749  v 8=70.2
r17=  -102.779        d17=   2.13                          
r18=   -98.782(非球面)d18=   1.00    n 9=1.58306  v 9=30.2
r19=    41.558        d19=   1.00                          
r20=   415.695        d20=   4.51    n10=1.48749  v10=70.2
r21=   -15.491        d21= 可変                            
r22=     0.000        d22= 可変                            
焦点距離 17.60  36.86  63.13  
可変間隔                             
d  4      2.52  14.86  25.09   
d 10     18.52   7.45   2.83  
d 15      5.88   2.57   0.60  
d 21      0.46  13.13  21.98  
非球面係数
(第18面)   
K= 0.00   B=-5.743352e-05   C=-1.312106e-07   D= 9.587723e-10   E= 0.00
数値実施例４
f=  18.6〜  70.5   Fno= 1: 4.1〜 5.9   2ω=72.5°〜21.9°
r 1=    67.077        d 1=   6.50    n 1=1.69680  v 1=55.5
r 2=  -161.945        d 2=   1.80    n 2=1.84666  v 2=23.9
r 3=  1132.825        d 3= 可変                            
r 4=    83.048        d 4=   1.40    n 3=1.72916  v 3=54.7
r 5=    12.446        d 5=   6.05                          
r 6=   -84.027        d 6=   1.20    n 4=1.71300  v 4=53.9
r 7=    25.673        d 7=   0.12                          
r 8=    19.338        d 8=   3.33    n 5=1.78472  v 5=25.7
r 9=   111.618        d 9= 可変                            
r10=     0.000(絞り)  d10=   0.50                          
r11=    16.677        d11=   3.95    n 6=1.56384  v 6=60.7
r12=   -33.126        d12=   4.51                          
r13=   -14.648        d13=   1.91    n 7=1.75520  v 7=27.5
r14=  -557.228        d14= 可変                            
r15=   -48.659        d15=   1.65    n 8=1.49171  v 8=57.4
r16=   -37.214(非球面)d16=   0.15                          
r17=  -197.038        d17=   5.34    n 9=1.48749  v 9=70.2
r18=   -13.950        d18= 可変                            
焦点距離 18.58  45.27  70.51  
可変間隔                             
d  3      3.26  23.11  38.11  
d  9     25.60   7.32   2.56  
d 14      3.21   1.39   1.00   
非球面係数
（第16面）   
K= 0.00   B= 8.207245e-05   C= 3.944734e-07   D=-2.633781e-09   E= 1.662769e-12
【００７７】
【表１】
2007093773.tif 000003
【００７８】
次に、本発明のズームレンズを用いた一眼レフカメラシステムの実施形態を、図１３を用いて説明する。
【００７９】
図１３において、１０は一眼レフカメラ本体、１１は本発明によるズームレンズを搭載した交換レンズ、１２は交換レンズ１１を通して得られる被写体像を記録するフィルムや撮像素子などの記録手段、１３は交換レンズ１１からの被写体像を観察するファインダー光学系、１４は交換レンズ１１からの被写体像を記録手段１２とファインダー光学系１３に切り替えて伝送するための回動するクイックリターンミラーである。ファインダーで被写体像を観察する場合は、クイックリターンミラー１４を介してピント板１５に結像した被写体像をペンタプリズム１６で正立像としたのち、接眼光学系１７で拡大して観察する。撮影時にはクイックリターンミラー１４が矢印方向に回動して被写体像は記録手段１２に結像して記録される。１８はサブミラー、１９は焦点検出装置である。
【００８０】
このように本発明のズームレンズを一眼レフカメラ交換レンズ等の光学機器に適用することにより、高い光学性能を有した光学機器が実現できる。
【００８１】
尚、本発明はクイックリターンミラーのない一眼レフカメラにも同様に適用することができる。
【図面の簡単な説明】
【００８２】
【図１】実施例１のズームレンズの広角端におけるレンズ断面図
【図２】実施例１のズームレンズの広角端における諸収差図
【図３】実施例１のズームレンズの望遠端における諸収差図
【図４】実施例２のズームレンズの広角端におけるレンズ断面図
【図５】実施例２のズームレンズの広角端における諸収差図
【図６】実施例２のズームレンズの望遠端における諸収差図
【図７】実施例３のズームレンズの広角端におけるレンズ断面図
【図８】実施例３のズームレンズの広角端における諸収差図
【図９】実施例３のズームレンズの望遠端における諸収差図
【図１０】実施例４のズームレンズの広角端におけるレンズ断面図
【図１１】実施例４のズームレンズの広角端における諸収差図
【図１２】実施例４のズームレンズの望遠端における諸収差図
【図１３】本発明の撮像装置の要部概略図
【符号の説明】
【００８３】
Ｌ１  第１レンズ群
Ｌ２  第２レンズ群
Ｌ３  第３レンズ群
Ｌ４  第４レンズ群
ＳＰ  絞り
ＩＰ  像面
ｄ    ｄ線
ｇ    ｇ線
Ｓ・Ｃ  正弦条件
ｄＭ  ｄ線のメリディオナル像面
ｄＳ  ｄ線のサジタル像面
ｇＭ  ｇ線のメリディオナル像面
ｇＳ  ｇ線のサジタル像面
【図１】
2007093773.tif 000004
【図２】
2007093773.tif 000005
【図３】
2007093773.tif 000006
【図４】
2007093773.tif 000007
【図５】
2007093773.tif 000008
【図６】
2007093773.tif 000009
【図７】
2007093773.tif 000010
【図８】
2007093773.tif 000011
【図９】
2007093773.tif 000012
【図１０】
2007093773.tif 000013
【図１１】
2007093773.tif 000014
【図１２】
2007093773.tif 000015
【図１３】
2007093773.tif 000016